(57)【要約】【課題】被験体の運動機能を損なうことなく生体情報を取得することができる生体情報モニターシステムを得る。【解決手段】被験体１に装着され、被験体１の生体情報を取得して、取得した生体情報を送信する１又は複数の生体情報送信端末１０と、生体情報送信端末１０から送信された生体情報を受信する生体情報計測装置２０とを備えた。【選択図】図１
2008272163.tif 000002
【特許請求の範囲】
【請求項１】
人又は動物に装着され、前記人又は動物の生体情報を取得して、取得した生体情報を送信する１又は複数の生体情報送信端末と、
前記生体情報送信端末から送信された前記生体情報を受信する生体情報計測装置と
を備えたことを特徴とする生体情報モニターシステム。
【請求項２】
前記生体情報計測装置は、
前記生体情報送信端末から受信した前記生体情報を出力するモニタ手段を有することを特徴とする請求項１記載の生体情報モニターシステム。
【請求項３】
前記生体情報計測装置は、
前記生体情報送信端末から受信した前記生体情報を、公衆回線又は専用回線を介して接続される情報処理装置へ転送することを特徴とする請求項１又は２記載の生体情報モニターシステム。
【請求項４】
前記生体情報計測装置は、
ワイヤレスネットワークにより前記公衆回線又は専用回線と接続されることを特徴とする請求項３記載の生体情報モニターシステム。
【請求項５】
前記生体情報計測装置は、
前記生体情報送信端末が装着された前記人又は動物に装着されることを特徴とする請求項１〜４の何れかに記載の生体情報モニターシステム。
【請求項６】
前記生体情報送信端末は、
ＧＰＳ信号を受信して、当該生体情報送信端末の位置に関する情報を取得し、該位置に関する情報を前記生体情報計測装置に送信することを特徴とする請求項１〜５の何れかに記載の生体情報モニターシステム。
【請求項７】
前記生体情報送信端末は、
前記人又は動物の生体情報を取得した時の前記位置に関する情報を、当該生体情報に含めて前記生体情報計測装置に送信することを特徴とする請求項６記載の生体情報モニターシステム。
【請求項８】
前記生体情報計測装置は、
ＧＰＳ信号を受信して、当該生体情報計測装置の位置に関する情報を取得し、該位置に関する情報を前記モニタ手段に出力し、又は前記情報処理装置へ送信することを特徴とする請求項２、３、又は請求項２、３に従属する請求項４〜７の何れかに記載の生体情報モニターシステム。
【請求項９】
前記生体情報計測装置は、
前記生体情報を受信した時の前記位置に関する情報を、当該生体情報に含めて前記モニタ手段に出力し、又は前記情報処理装置へ送信することを特徴とする請求項８記載の生体情報モニターシステム。
【請求項１０】
前記生体情報計測装置は、
受信した前記生体情報が所定の値の範囲を超えたとき、所定の警報情報を前記モニタ手段に出力し、又は前記情報処理装置へ送信することを特徴とする請求項２、３、又は請求項２、３に従属する請求項４〜９の何れかに記載の生体情報モニターシステム。
【請求項１１】
前記生体情報計測装置を複数備え、
前記生体情報送信端末は、
当該生体情報送信端末の識別情報を含めた生体情報を送信し、
前記生体情報計測装置は、
受信した前記生体情報の識別情報に基づき、所定の生体情報送信端末から送信された生体情報を取得することを特徴とする請求項１〜１０の何れかに記載の生体情報モニターシステム。
【発明の詳細な説明】
【技術分野】
【０００１】
本発明は、生体情報モニターシステムに関し、特に、無線通信を用いた生体情報モニターシステムに関する。
【背景技術】
【０００２】
従来の生体情報モニターシステムとしては、例えば、「ペットの首輪などの装身具と、装身具に設けられた、ペットの生体情報を計測するための生体計測装置と、生体計測装置で計測された生体情報を収集する生体情報収集装置とからなり、生体計測装置は、装身具上のペットの体の一部が接触する所定部分に設けられた少なくとも１つの接触面に接触した当該体の一部から少なくとも１つの生体情報を計測して、生体情報収集装置へ送信し、生体情報収集装置は、生体計測装置から送信された計測データを受信して、計測データがペットの健康診断用に適しているか否かをデータ量とデータに含まれるノイズの量とから判定し、この判定結果に基づきペットの健康診断用に適したデータ量と質の計測データを取得すべく飼い主としてのユーザとの間で対話を行う。」ものが提案されている（例えば、特許文献１参照）。
【０００３】
【特許文献１】特開２００５−１６８５０５号公報（要約）
【発明の開示】
【発明が解決しようとする課題】
【０００４】
一般に、被験体（人又は動物）の筋電図、心電図、呼吸波形、脳波などをモニターするための生体信号又は被験体の体動状態をモニターするための加速度データなどの体動信号（以下「生体情報」という。）をモニターする場合、被験体の任意の箇所に電極等を介して取り付けられたセンサ等により生体信号又は体動信号等を取得し、取得した生体信号又は体動信号等の情報を計測装置等に集約し、適宜情報処理を行って生体情報をモニターする。
【０００５】
このような生体情報モニターシステムにおいて、センサ等と計測装置等との通信をケーブル等を用いた有線により行う場合、ケーブル等が邪魔になり被験体の運動機能を損なうという問題点があった。また、特に、動物を被験体とする場合においては、動物を安静若しくはケーブル等の届く範囲に拘束させる必要がある。このとき動物が意としない動きをすると、ケーブル等を引っ張りセンサ等が脱落して計測が中断されることとなり、更に、脱落したセンサ等が動物に踏まれてセンサ等が故障に陥りやすいという問題点があった。
【０００６】
また、従来の生体情報モニターシステムにおいては、センサ等からの生体情報を取得した計測装置等により生体情報をモニターすることはできるが、この計測装置等の設置場所以外の遠隔地においては生体情報をモニターすることができないため、遠隔地においても生体情報を取得することができる生体情報モニターシステムが望まれていた。
【０００７】
また、例えば被験体が広範囲にわたって運動（移動）する場合など、被験体の位置が変化する場合には、被験体の生体情報とともに、被験体の位置の情報を取得することができる生体情報モニターシステムが望まれていた。
【０００８】
本発明は上記のような課題を解決するためになされたもので、第１の目的は、被験体の運動機能を損なうことなく生体情報を取得することができる生体情報モニターシステムを得るものである。
【０００９】
第２の目的は、生体情報を取得する計測装置等の設置場所以外の遠隔地において生体情報を取得することができる生体情報モニターシステムを得るものである。
【００１０】
第３の目的は、被験体の位置の情報を取得することができる生体情報モニターシステムを得るものである。
【課題を解決するための手段】
【００１１】
本発明に係る生体情報モニターシステムは、人又は動物に装着され、前記人又は動物の生体情報を取得して、取得した生体情報を送信する１又は複数の生体情報送信端末と、前記生体情報送信端末から送信された前記生体情報を受信する生体情報計測装置とを備えたものである。
【００１２】
また、本発明に係る生体情報モニターシステムにおいて、前記生体情報計測装置は、前記生体情報送信端末から受信した前記生体情報を出力するモニタ手段を有するものである。
【００１３】
また、本発明に係る生体情報モニターシステムにおいて、前記生体情報計測装置は、前記生体情報送信端末から受信した前記生体情報を、公衆回線又は専用回線を介して接続される情報処理装置へ転送するものである。
【００１４】
また、本発明に係る生体情報モニターシステムにおいて、前記生体情報計測装置は、ワイヤレスネットワークにより前記公衆回線又は専用回線と接続されるものである。
【００１５】
また、本発明に係る生体情報モニターシステムにおいて、前記生体情報計測装置は、前記生体情報送信端末が装着された前記人又は動物に装着されるものである。
【００１６】
また、本発明に係る生体情報モニターシステムにおいて、前記生体情報送信端末は、ＧＰＳ信号を受信して、当該生体情報送信端末の位置に関する情報を取得し、該位置に関する情報を前記生体情報計測装置に送信するものである。
【００１７】
また、本発明に係る生体情報モニターシステムにおいて、前記生体情報送信端末は、前記人又は動物の生体情報を取得した時の前記位置に関する情報を、当該生体情報に含めて前記生体情報計測装置に送信するものである。
【００１８】
また、本発明に係る生体情報モニターシステムにおいて、前記生体情報計測装置は、ＧＰＳ信号を受信して、当該生体情報計測装置の位置に関する情報を取得し、該位置に関する情報を前記モニタ手段に出力し、又は前記情報処理装置へ送信するものである。
【００１９】
また、本発明に係る生体情報モニターシステムにおいて、前記生体情報計測装置は、前記生体情報を受信した時の前記位置に関する情報を、当該生体情報に含めて前記モニタ手段に出力し、又は前記情報処理装置へ送信するものである。
【００２０】
また、本発明に係る生体情報モニターシステムにおいて、前記生体情報計測装置は、受信した前記生体情報が所定の値の範囲を超えたとき、所定の警報情報を前記モニタ手段に出力し、又は前記情報処理装置へ送信するものである。
【００２１】
また、本発明に係る生体情報モニターシステムにおいて、前記生体情報計測装置を複数備え、前記生体情報送信端末は、当該生体情報送信端末の識別情報を含めた生体情報を送信し、前記生体情報計測装置は、受信した前記生体情報の識別情報に基づき、所定の生体情報送信端末から送信された生体情報を取得するものである。
【発明の効果】
【００２２】
本発明は、生体情報送信端末により取得した生体情報を送信し、この生体情報を生体情報計測装置により受信することにより、人又は動物の運動機能を損なうことなく生体情報を取得することができる。
【００２３】
また、生体情報計測装置が生体情報送信端末から受信した生体情報を、公衆回線又は専用回線を介して接続される情報処理装置へ転送することにより、生体情報計測装置の設置場所以外の遠隔地において生体情報を取得することができる。
【００２４】
また、生体情報送信端末がＧＰＳ信号を受信して、当該生体情報送信端末の位置に関する情報を取得し、該位置に関する情報を生体情報計測装置に送信することにより、被験体の位置の情報を取得することができる。
【発明を実施するための最良の形態】
【００２５】
実施の形態１．
図１は実施の形態１に係る生体情報モニターシステムの構成図である。図１において、本実施の形態１に係る生体情報モニターシステムは、少なくとも１つ以上の生体情報送信端末１０と、生体情報計測装置２０とにより構成される。生体情報送信端末１０は、人又は動物（以下「被験体１」という。）に装着され、例えば、被験体１の健康管理、トレーニング解析、リハビリなどの為に被験体１の生体情報を取得して当該生体情報を送信するものである。生体情報計測装置２０は、生体情報送信端末１０と無線通信を行い、受信した生体情報を取得して、情報の蓄積・処理を行い、各種生体信号又は体動信号の数値データ又は図形データとしてモニタ（後述）等に表示する。また、生体情報送信端末１０を被験体１に複数装着する場合は、複数の生体情報送信端末１０と生体情報計測装置２０とが、例えば、時分割多重接続（Time Division Multiple Access：以下「ＴＤＭＡ」ともいう。）などの多元接続方式を用いて無線通信を行う。
【００２６】
図２は実施の形態１に係る生体情報送信端末の構成図である。図２において、生体情報送信端末１０は、当該生体情報送信端末１０が装着された被験体１の例えば、筋電図、心電図、呼吸波形、脳波などをモニターするための生体信号又は被験体１の体動状態をモニターするための加速度データなどの体動信号の少なくとも１種類以上を検出するセンサ部１１と、生体情報を記憶するメモリ１２１（記憶部）を有し、センサ部１１で検出された信号をデジタル情報に変換した後、逐次又は所定のタイミングでデータ送信する電子回路（マイクロプロセッサ）などで構成される端末制御部１２と、端末制御部１２から入力された送信データを無線信号に変調し、アンテナ１４を介して送信する端末無線部１３と、当該生体情報送信端末１０の各構成部に電力を供給する電池１５（例えば、ボタン電池）とを備えている。
【００２７】
尚、この生体情報送信端末１０のアンテナ１４は、例えばモノポールアンテナ又はダイポールアンテナなどの直線偏波アンテナでも良いし、円偏波アンテナとしても良い。例えば円偏波アンテナを用いることにより、受信側の生体情報計測装置２０のアンテナ２４（後述）が直線偏波アンテナである場合でも、偏波面不一致により生ずる受信レベルの低下を軽減することができる。このような円偏波アンテナとしては、例えばパッチアンテナを用いて、誘電体基板の片面に略正方形のパッチ電極と給電用のマイクロストリップラインとを設け、かつ誘電体基板の他面のほぼ全面に接地導体を設けて、給電線及びマイクロストリップラインを介してパッチ電極に高周波信号を給電する円偏波アンテナなどがある。尚、この円偏波アンテナは、右旋円偏波又は左旋円偏波の何れの円偏波を用いても良い。
【００２８】
尚、複数の生体情報送信端末１０と生体情報計測装置２０とが、例えばＴＤＭＡ通信を行う場合においては、端末制御部１２は、端末無線部１３により受信されたフレーム同期パターンに基づき、当該生体情報送信端末１０に割り当てられた所定の同期タイミングでデータ送信するように制御する。
【００２９】
この生体情報送信端末１０を構成するセンサ部１１、端末制御部１２、端末無線部１３、アンテナ１４及び電池１５は、小型パッケージ（例えば、５００円玉大の大きさ）に一体形成され被験体１に装着される。次に、このような生体情報送信端末１０の被験体１への装着方法について図３により説明する。
【００３０】
図３は実施の形態１に係る生体情報送信端末の装着状態を示す図である。
生体情報送信端末１０は、例えばセンサ部１１の電極等を被験体１の体表面（皮膚）に貼着する粘着テープなどにより装着することができる。また、図３に示すように、例えば、伸縮性のある布等により四肢、胴体又は頭部などを覆うサポーター３を用いて、生体情報送信端末１０を固定して被験体１の皮膚に接触させることにより装着することができる。また、首輪４や、ペット服などの衣服、競走馬の遮眼革等に生体情報送信端末１０を一体に取り付けて、被験体１の皮膚と接触又は非接触により生体信号等を検知しても良い。
次に、このように装着された生体情報送信端末１０と無線通信を行う生体情報計測装置２０の構成について図４を用いて説明する。
【００３１】
図４は実施の形態１に係る生体情報計測装置の構成図である。図４において、生体情報計測装置２０は、無線信号を受信するアンテナ２４と、生体情報送信端末１０から逐次又は所定のタイミングで送信された送信データを受信することにより、生体情報送信端末１０と通信を行い、受信した送信データを復調して生体情報として計測制御部２２へ入力する計測無線部２１と、入力された生体情報を記憶するメモリ２２１（記憶部）を有し、生体情報を処理して、モニタ出力用のデータに変換し、また、各生体信号又は体動信号等に応じた所定の閾値に基づいて、生体信号又は体動信号等の異常値の判断及び警報動作などを行う計測制御部２２と、計測制御部２２から入力される各種生体信号及び体動信号等の数値データ又は図形データをディスプレイ等に表示させ、また、当該生体情報計測装置２０に対する各種操作を計測制御部２２に入力する操作／モニタ部２３と、当該生体情報計測装置２０の各構成部に電力を供給する電源２５（例えば電池）とを備えている。尚、操作／モニタ部２３は、本発明におけるモニタ手段に相当する。
【００３２】
尚、複数の生体情報送信端末１０と生体情報計測装置２０とが、例えばＴＤＭＡ通信を行う場合においては、計測無線部２１は、各生体情報送信端末１０へ送信するフレーム同期パターンを変調してアンテナ２４を介して送信を行い、当該フレーム同期パターンを受信した生体情報送信端末１０から所定のタイミングで送信された送信データを受信することにより、複数の生体情報送信端末１０と同期してＴＤＭＡ通信を行って、受信した生体情報を計測制御部２２へ入力する。
【００３３】
尚、この生体情報計測装置２０のアンテナ２４は、例えばモノポールアンテナ又はダイポールアンテナなどの直線偏波アンテナでも良いし、円偏波アンテナとしても良い。例えば円偏波アンテナを用いることにより、送信側の生体情報送信端末１０のアンテナ１４が直線偏波アンテナである場合でも、偏波面不一致により生ずる受信レベルの低下を軽減することができる。このような円偏波アンテナとしては、上述したアンテナ１４と同様な円偏波アンテナを用いることができる。
【００３４】
尚、この生体情報計測装置２０のアンテナ２４を複数備えて、スペースダイバーシティを構成しても良い。この場合、計測無線部２１は、ダイバーシティ受信回路を設け、複数のアンテナ２４により受信された無線信号のうち、受信強度の大きい信号波あるいは各信号波が合成された上で受信する。
【００３５】
さらに、円偏波アンテナを用いたアンテナ２４を複数備え、この複数本の円偏波アンテナからの受信信号を利用してスペースダイバーシティを構成しても良い。このとき、各円偏波アンテナでそれぞれ受信する受信波の相関が低くなるように各円偏波アンテナを配置する。これにより、ある円偏波アンテナの受信レベルが低くても他の円偏波アンテナの受信レベルが高ければ、より大きなダイバーシティ改善効果を得ることができる。
【００３６】
この生体情報計測装置２０は、生体情報送信端末１０と無線通信可能な場所に配置され、被験体１の生体情報をリアルタイムにモニタすることができる。また、この生体情報計測装置２０を被験体１へ装着し、生体情報をメモリ２２１に記憶することにより、生体情報送信端末１０との無線通信可能範囲にかかわらず、広範囲にわたって運動（移動）する被験体１の生体情報を収集することもできる。このような生体情報計測装置２０の被験体１への装着方法について図５により説明する。
【００３７】
図５は実施の形態１に係る生体情報計測装置の装着状態を示す図である。図５に示すように、生体情報計測装置２０は一つの筐体内に収容され、例えば競走馬用のトレーニングセンターの馬場などで、広範囲にわたって運動する競走馬（被験体１）に、ベルト６により着脱自在に装着される。この生体情報計測装置２０は、当該被験体１の各部に装着された生体情報送信端末１０（図示せず）と無線通信を行い、生体情報を収集する。このように、ベルト６により生体情報計測装置２０を被験体１に装着し、各部に装着された生体情報送信端末１０と無線通信を行うことにより、被験体１の肢体の運動機能を損なうことなく生体情報を取得することができると共に、広範囲にわたって運動する被験体１の生体情報をモニターすることができる。
【００３８】
尚、生体情報計測装置２０の被験体１への装着方法は、ベルト６に限らず、例えば、首輪や被服、リュック又は競走馬の鞍等を用いて被験体１に装着しても良い。また、例えば、被験体１を競走馬とする場合には、生体情報計測装置２０を被験体１へ装着せず、被験体１に乗馬する騎手に生体情報計測装置２０を装着しても良い。
【００３９】
以上のような構成による本実施の形態１における生体情報モニターシステムの動作を次に説明する。
【００４０】
まず、生体情報送信端末１０の電源が投入されると、センサ部１１により検出された生体信号又は体動信号等が、端末制御部１２に逐次入力される。端末制御部１２は、センサ部１１で検出された信号をデジタル情報に変換した後、当該生体信号を取得した時刻に関する情報と共に、生体情報としてメモリ１２１に蓄積する。そして、端末制御部１２は、逐次又は所定の送信タイミングにおいて、端末無線部１３を送信モードに切り替えて、規定されたフォーマットに従って、メモリ１２１に蓄積した生体情報をデータ送信する。尚、例えばＴＤＭＡ通信を行う場合においては、端末制御部１２は、端末無線部１３により受信されたフレーム同期パターンに基づき、当該生体情報送信端末１０に割り当てられた所定の同期タイミングで、所定の割当て時間（スロット）にデータ送信するように制御する。
【００４１】
生体情報計測装置２０は、アンテナ２４を介して計測無線部２１により送信データを受信し、当該送信データを変調して生体情報として計測制御部２２に入力する。計測制御部２２は入力された生体情報を逐次、メモリ２２１に蓄積する。尚、例えばＴＤＭＡ通信を行う場合においては、計測無線部２１は、各生体情報送信端末１０へ送信するフレーム同期パターンを変調してアンテナ２４を介して送信を行い、当該フレーム同期パターンを受信した生体情報送信端末１０から所定のタイミングで送信された送信データを受信することにより、複数の生体情報送信端末１０と同期してＴＤＭＡ通信を行って、受信した生体情報を計測制御部２２へ入力する。
【００４２】
そして、操作／モニタ部２３の操作により、所定の情報出力操作がなされたとき、計測制御部２２は、当該操作に応じて、メモリ２２１に蓄積された生体情報を処理して、例えば生体信号又は体動信号等の種類毎の時系列データなど、当該操作に応じた数値データ又は図形データ（波形、グラフなど）を操作／モニタ部２３に出力する。操作／モニタ部２３は、所定の情報出力操作に応じて、入力された数値データ又は図形データをディスプレイ等に表示させる。
【００４３】
また、操作／モニタ部２３の操作により、所定の異常検知操作がなされたとき、計測制御部２２は、当該操作又は予め設定された各生体情報毎の異常判断の閾値（上限値、下限値）に基づいて、メモリ２２１に蓄積された生体情報又は取得した生体情報を逐次、異常の判断を行い、異常と判断した場合は、所定の警報情報を操作／モニタ部２３に出力する。操作／モニタ部２３は、所定の異常検知操作に応じて、入力された警報情報に基づき警報動作（例えば、警報メッセージ表示、アラームの鳴動）を行う。
【００４４】
尚、上記説明では、操作／モニタ部２３に生体情報を出力した場合を説明したが、これに限らず、操作／モニタ部２３を設けずに又はこれに加えて、例えば、計測制御部２２に外部記憶媒体（ＵＳＢメモリなど）を接続して、当該外部記憶媒体にメモリ２２１に蓄積された生体情報を出力しても良い。そして、この外部記憶媒体に記憶された生体情報を、情報処理装置（例えば、パーソナルコンピュータなど）により処理して、数値データ又は図形データに加工するようにしても良い。
【００４５】
以上のように本実施の形態１においては、被験体１に装着された生体情報送信端末１０が取得した生体情報を、無線通信により生体情報計測装置２０が受信することにより、ケーブル等が邪魔になり被験体の運動機能を損なうことがない。
【００４６】
また、ケーブル等が不要なため、生体情報送信端末１０の被験体１への装着が、違和感無く、容易に行うことができる。また特に、動物を被験体１とする場合においては、動物を安静若しくはケーブル等の届く範囲に拘束させる必要がなく、動物の動きによる生体情報送信端末１０の脱落や、脱落に伴うモニタの中断又は故障の頻度を減少させることができる。
【００４７】
また、動物を被験体１とする場合においては、生体情報送信端末１０をサポーター３、首輪４などにより装着することにより、被験体１へ容易に生体情報送信端末１０を装着することができ、さらに、生体情報送信端末１０の装着を動物が拒絶するなどして、装着に時間を要することが少なくなる。
【００４８】
また、生体情報計測装置２０をベルト６により被験体１に装着することにより、被験体１の運動機能を損なうことなく生体情報を取得することができると共に、広範囲にわたって運動（移動）する被験体１の生体情報をモニターすることができる。
【００４９】
また、生体情報計測装置２０が取得した生体情報の異常の判断を行い、異常と判断した場合に警報動作を行うことにより、被験体１の生体情報の異常を速やかに把握することができる。
【００５０】
実施の形態２．
図６は実施の形態２に係る生体情報モニターシステムの構成図である。図６において、本実施の形態２における生体情報モニターシステムにおいては、上記実施の形態１の構成に加え、生体情報計測装置２０は、公衆回線網６０と接続されるワイヤレスネットワーク５０と無線通信を行い、公衆回線網６０を介して、例えば医療施設などの遠隔地（生体情報計測装置２０の設置場所以外の場所）に設置された情報処理装置（例えば、パーソナルコンピュータなど）である生体モニター機器３０に生体情報等（後述）を送信する。この生体モニター機器３０は、公衆回線網６０と有線により接続される生体モニター機器３０−１、又はワイヤレスネットワーク５０を介して接続される生体モニター機器３０−２により構成される。尚、このワイヤレスネットワーク５０としては、例えば無線ＬＡＮ（Local Area Network：IEEE802.11a,b,g準拠等）など、何れの無線通信方式を用いても良い。また、生体情報計測装置２０は、ワイヤレスネットワーク５０を介さずに、携帯電話回線網や、衛星電話回線網などの移動体通信網と直接通信しても良い。また、公衆回線網６０に換えて専用回線を用いても良い。
【００５１】
さらに、本実施の形態２における生体情報送信端末１０及び生体情報計測装置２０は、ＧＰＳ（Global Positioning System）衛星からの電波信号（ＧＰＳ信号）をＧＰＳ受信部（後述）により受信して現在地の位置情報を得ることができる。
【００５２】
図７は実施の形態２に係る生体情報送信端末の構成図である。図７において、本実施の形態２における生体情報送信端末１０は、上記実施の形態１の構成に加え、ＧＰＳ衛星からの電波信号（ＧＰＳ信号）を受信するＧＰＳアンテナ１７と、このＧＰＳアンテナ１７により受信された電波信号に基づき、当該生体情報送信端末１０の現在位置の情報（以下「送信端末位置情報」という。）を取得するＧＰＳ受信部１６とを備えている。尚、その他の構成及び動作並びに被験体１への装着方法については上記実施の形態１と同様である。
【００５３】
図８は実施の形態２に係る生体情報計測装置の構成図である。図８において、本実施の形態２における生体情報計測装置２０は、上記実施の形態１の構成に加え、計測制御部２２のメモリ２２１に蓄積された生体情報を無線信号に変調し、アンテナ２８を介して送信する転送無線部２６と、ＧＰＳ衛星からの電波信号（ＧＰＳ信号）を受信するＧＰＳアンテナ２９と、このＧＰＳアンテナ２９により受信された電波信号に基づき、当該生体情報計測装置２０の現在位置の情報（以下「計測装置位置情報」という。）を取得するＧＰＳ受信部２７とを備えている。尚、その他の構成及び動作並びに被験体１への装着方法については上記実施の形態１と同様である。
このような構成による本実施の形態２における生体情報の転送動作について次に説明する。
【００５４】
生体情報送信端末１０において、上述した実施の形態１と同様の動作により、センサ部１１は、被験体１の生体信号を検出し、端末制御部１２へ逐次入力する。端末制御部１２は、センサ部１１から入力された生体信号又は体動信号等と、ＧＰＳ受信部１６により取得された送信端末位置情報とを対応づけて生体情報としてメモリ１２１に蓄積する。即ち、被験体１の生体情報と、その生体情報が取得された時の送信端末位置情報とがそれぞれ対応付けられて蓄積されることとなる。そして、端末制御部１２は、逐次又は所定の送信タイミングにおいて、端末無線部１３を送信モードに切り替えて、規定されたフォーマットに従って、メモリ１２１に蓄積した生体情報（送信端末位置情報を含む）をデータ送信する。尚、例えばＴＤＭＡ通信を行う場合の動作は、上述した実施の形態１と同様である。
【００５５】
生体情報計測装置２０は、上述した実施の形態１と同様の動作により、計測無線部２１により送信データを受信し、当該送信データを変調して計測制御部２２に入力する。計測制御部２２は入力された生体情報（送信端末位置情報を含む）を逐次、メモリ２２１に蓄積する。そして、操作／モニタ部２３の操作により、所定の情報出力操作がなされたとき、計測制御部２２は、当該操作に応じて、メモリ２２１に蓄積された生体情報を処理して、例えば生体信号又は体動信号の種類毎の時系列データなど、当該操作に応じた数値データ又は図形データ（波形、グラフなど）を操作／モニタ部２３に出力する。
【００５６】
また、計測制御部２２は、当該操作に応じて、メモリ２２１に蓄積された生体情報を処理し、送信端末位置情報に基づいて、生体信号又は体動信号等と、この信号が検出された位置情報とを対応付けた数値データ又は図形データ（波形、グラフなど）を操作／モニタ部２３に出力する。操作／モニタ部２３は、所定の情報出力操作に応じて、入力された数値データ又は図形データをディスプレイ等に表示させる。
【００５７】
尚、例えばＴＤＭＡ通信を行う場合の動作は、上述した実施の形態１と同様である。また、操作／モニタ部２３の操作により、所定の異常検知操作がなされたときの動作は、上述した実施の形態１と同様である。
【００５８】
さらに、本実施の形態２における計測制御部２２は、逐次若しくは所定の送信タイミング又は操作／モニタ部２３の操作により、転送無線部２６を送信モードに切り替えて、規定されたフォーマットに従って、メモリ１２１に蓄積した生体情報（送信端末位置情報を含む）をデータ送信させる。また、このとき計測制御部２２は、ＧＰＳ受信部２７により取得された計測装置位置情報を、送信するデータ（以下「転送データ」という。）に含めて送信させる。即ち、転送無線部２６が送信するデータには、各生体情報送信端末１０により取得された生体情報及び当該送信端末位置情報、並びに当該生体情報計測装置２０の計測装置位置情報（以下「生体情報等」という。）が含まれてることとなる。
【００５９】
転送無線部２６は、ワイヤレスネットワーク５０と無線通信を行い、公衆回線網６０を介して、例えば医療施設などに設置された生体モニター機器３０に転送データを転送する。そして、この生体モニター機器３０は、取得した生体情報等を処理して、例えば生体信号又は体動信号等の種類毎の時系列データや、生体信号又は体動信号等と、この信号が検出された位置情報とを対応付けたデータなど、当該操作に応じた数値データ又は図形データ（波形、グラフなど）をディスプレイ等に表示させる。
【００６０】
以上のように本実施の形態２においては、生体情報計測装置２０が生体情報送信端末１０から受信した生体情報を、公衆回線網６０を介して接続される生体モニター機器３０へ転送することにより、生体情報計測装置２０の設置場所以外の遠隔地において生体情報を取得することができる。
【００６１】
また、生体情報送信端末１０がＧＰＳ信号を受信して、当該生体情報送信端末１０の位置に関する情報を取得し、この位置に関する情報を生体情報計測装置２０に送信することにより、例えば被験体が広範囲にわたって運動（移動）する場合など、被験体の位置が変化する場合に、被験体１の生体情報と共に、被験体１の位置の情報を取得することができる。
【００６２】
尚、本実施の形態２においては、操作／モニタ部２３に生体情報を出力した場合を説明したが、これに限らず、操作／モニタ部２３を設けない構成とし、生体モニター機器３０のみで生体情報をモニターしても良い。
【００６３】
尚、本実施の形態２においては、生体情報送信端末１０及び生体情報計測装置２０のそれぞれに、ＧＰＳ衛星からの電波信号を受信するＧＰＳ受信部を設ける構成としたが、本発明はこれに限らず、生体情報送信端末１０又は生体情報計測装置２０の何れか一方のみにＧＰＳ受信部を設ける構成としても良い。例えば、生体情報計測装置２０を被験体１に装着する場合は、生体情報計測装置２０のみにＧＰＳ受信部を設けることで、被験体１の位置検出ができると共に、生体情報送信端末１０を簡易な構成とすることができる。この場合、生体情報計測装置２０の計測制御部２２は、受信した生体情報と生体情報計測装置２０の当該計測装置位置情報とを対応付けてメモリ２２１に逐次蓄積する。
【００６４】
尚、複数の生体情報送信端末１０により生体モニターを行う場合は、複数の生体情報送信端末１０の何れか１つのみにＧＰＳ受信部１６及びＧＰＳアンテナ１７を設ける構成としても良い。これにより、ＧＰＳ受信部１６及びＧＰＳアンテナ１７を設けない生体情報送信端末１０を簡易な構成とすることができる。この場合、ＧＰＳ受信部１６及びＧＰＳアンテナ１７を設けた生体情報送信端末１０は、時刻情報と共に送信端末位置情報を送信し、生体情報計測装置２０は、受信した送信端末位置情報と時刻情報とを取得することにより、ＧＰＳ受信部１６及びＧＰＳアンテナ１７を備えない他の生体情報送信端末１０からの生体情報についても、生体情報を取得した時刻情報に基づいて、当該生体情報が検出された位置情報を対応付けることができる。
【００６５】
尚、上記実施の形態１及び２においては、生体情報計測装置２０が１台の場合を説明したが、本発明はこれに限らず、複数の生体情報計測装置２０を備えても良い、これにより、生体情報計測装置２０と複数の生体情報送信端末１０との多重接続方式における接続数を超える場合であっても、各生体情報計測装置２０が通信する生体情報送信端末１０を分担することにより、より多くの生体情報送信端末１０を被験体１に装着して、大規模な生体情報モニターシステムを構築できる。この場合、各生体情報送信端末１０は、当該生体情報送信端末１０を識別する識別情報（アドレス）を送信データに含めて送信し、生体情報計測装置２０は、この識別情報に基づき、当該生体情報計測装置２０が管轄する生体情報送信端末１０の送信データのみを受信する。
【００６６】
さらに、複数の生体情報計測装置２０間で、取得した生体情報の送受信を行うようにしても良い。これにより、当該生体情報計測装置２０が管轄する生体情報送信端末１０以外の生体情報送信端末１０の生体情報を取得し、より多くの生体信号又は体動信号等により被験体１の生体情報をモニターすることができる。
【００６７】
尚、上記実施の形態１及び２においては、被験体１として動物（馬、犬）の場合を例示したが、本発明はこれに限らず、例えばバスやタクシー運転手の走行位置の情報と生体情報を遠隔地の指令センター等で収集することができる。さらに、留守番中のペットの生体情報を遠隔地でモニタすることも可能である。その他、本発明は上記実施の形態に示したものに限定されるものではなく、この発明思想内における種々の変形をも含むことはいうまでもない。
【図面の簡単な説明】
【００６８】
【図１】実施の形態１に係る生体情報モニターシステムの構成図である。
【図２】実施の形態１に係る生体情報送信端末の構成図である。
【図３】実施の形態１に係る生体情報送信端末の装着状態を示す図である。
【図４】実施の形態１に係る生体情報計測装置の構成図である。
【図５】実施の形態１に係る生体情報計測装置の装着状態を示す図である。
【図６】実施の形態２に係る生体情報モニターシステムの構成図である。
【図７】実施の形態２に係る生体情報送信端末の構成図である。
【図８】実施の形態２に係る生体情報計測装置の構成図である。
【符号の説明】
【００６９】
１  被験体、３  サポーター、４  首輪、６  ベルト、１０  生体情報送信端末、１１  センサ部、１２  端末制御部、１３  端末無線部、１４  アンテナ、１５  電池、１６  ＧＰＳ受信部、１７  ＧＰＳアンテナ、２０  生体情報計測装置、２１  計測無線部、２２  計測制御部、２３  操作／モニタ部、２４  アンテナ、２５  電源、２６  転送無線部、２７  ＧＰＳ受信部、２８  アンテナ、２９  ＧＰＳアンテナ、３０  生体モニター機器、５０  ワイヤレスネットワーク、６０  公衆回線網、１２１  メモリ、２２１  メモリ。
【図１】
2008272163.tif 000003
【図２】
2008272163.tif 000004
【図３】
2008272163.tif 000005
【図４】
2008272163.tif 000006
【図５】
2008272163.tif 000007
【図６】
2008272163.tif 000008
【図７】
2008272163.tif 000009
【図８】
2008272163.tif 000010